(57)【要約】【課題】複数ネットワーク機器をＰＯＮトポロジで接続した際に、標準的なＥｔｈｅｒｎｅｔ（登録商標）機器のみで上り通信を行うこと。【解決手段】第１の通信装置と複数の第２の通信装置とが時分割多元接続方式により通信を行う光アクセスシステムにおける前記第２の通信装置は、イーサネット（登録商標）として通信を実現するイーサネットコントローラと、前記通信におけるリンク障害の発生を通知するリンク障害通知を前記第１の通信装置から受信した場合において、前記第１の通信装置へのデータ送信を行っている場合には、前記データ送信を終了させるための終了命令を出力し、前記第１の通信装置へのデータ送信を行っていない場合には、前記リンク障害から復帰した後に前記データ送信を開始させるための開始命令を出力するリンク障害処理部と、を備える。【選択図】図１
2020010248.tif 000002
【特許請求の範囲】
【請求項１】
第１の通信装置と複数の第２の通信装置とが時分割多元接続方式により通信を行う光アクセスシステムにおける前記第２の通信装置であって、
イーサネット（登録商標）として通信を実現するイーサネットコントローラと、
前記通信におけるリンク障害の発生を通知するリンク障害通知を前記第１の通信装置から受信した場合において、前記第１の通信装置へのデータ送信を行っている場合には、前記データ送信を終了させるための終了命令を出力し、前記第１の通信装置へのデータ送信を行っていない場合には、前記リンク障害から復帰した後に前記データ送信を開始させるための開始命令を出力するリンク障害処理部と、
を備える通信装置。
【請求項２】
前記リンク障害通知を受信しなくなったことに基づいて前記リンク障害から復帰したことを検知するリンク障害検知部
をさらに備え、
前記リンク障害処理部は、前記リンク障害検知部によって前記リンク障害から復帰したことが検知されたことに基づいて前記開始命令を出力する
請求項１に記載の通信装置。
【請求項３】
前記リンク障害通知は、前記第１の通信装置が前記リンク障害の発生を検知したことに応じて前記第１の通信装置から複数の前記第２の通信装置へ送信される通知信号である
請求項１又は請求項２に記載の通信装置。
【請求項４】
第１の通信装置と複数の第２の通信装置とが時分割多元接続方式により通信を行う光アクセスシステムにおける前記第２の通信装置のコンピュータによる通信方法であって、
イーサネット（登録商標）として通信を実現するステップと、
前記通信におけるリンク障害の発生を通知するリンク障害通知を前記第１の通信装置から受信した場合において、前記第１の通信装置へのデータ送信を行っている場合には、前記データ送信を終了させるための終了命令を出力し、前記第１の通信装置へのデータ送信を行っていない場合には、前記リンク障害から復帰した後に前記データ送信を開始させるための開始命令を出力するステップと、
を有する通信方法。
【発明の詳細な説明】
【技術分野】
【０００１】
本発明は、通信装置及び通信方法に関する。
【背景技術】
【０００２】
Ｅｔｈｅｒｎｅｔ（イーサネット）（登録商標）は、世界的に使用されている有線ネットワークプロトコルであり、多くの標準的なネットワーク機器によって用いられている。その中でも、光伝送技術を適用した、物理層を光インターフェースで規定しているＥｔｈｅｒｎｅｔ（登録商標）は、専らＰ２Ｐ（ポイント・ツー・ポイント）方式の通信において用いられており、長距離高速通信を可能にするインターフェースとして普及している。
【０００３】
複数のネットワーク機器を収容する、特に長距離伝送を行うアクセスネットワークにおいて、上記Ｐ２Ｐのネットワークトポロジを用いた場合、光ファイバの敷設コスト及び局内装置の占有面積が増加する。そこで、ＰＯＮ（Passive Optical Network）トポロジを用いたＰ２ＭＰ（ポイント・ツー・マルチポイント）方式の通信システムが、ＰＯＮシステムとしてアクセスネットワークに用いられている。ＰＯＮシステムは、光ファイバと光加入者線端局装置（ＯＬＴ；Optical Line Terminal）を、複数の光加入者線終端装置（ＯＮＵ；Optical Network Unit）で共有することにより、光ファイバの敷設コストとＯＬＴの占有面積とを削減することができる、このＰＯＮシステムの構成は、ＩＥＥＥ（Institute of Electrical and Electronics Engineers）によって規定されている。
【０００４】
従来のＰＯＮシステムでは、ＯＬＴ／ＯＮＵ間の通信における上り通信（ＯＮＵからＯＬＴへの通信）において、以下に説明するシーケンスのように各ＯＮＵは信号の送信を実行する（非特許文献１参照）。
【０００５】
図５は、一般的なＰＯＮシステムのネットワーク構成を示すブロック図である。また、図６は、従来技術における通信システムの構成を示すブロック図である。また、図７は、従来技術における通信システムによる上り通信の処理の流れを示すシーケンス図である。また、図８は、従来技術における通信システムのＯＬＴの動作の一例を示すフローチャートである。また、図９は、従来技術における通信システムのＯＮＵの動作の一例を示すフローチャートである。
以下、図５〜図９に基づいて、従来技術における通信システムによる、上り通信のプロセスの処理の流れを以下に示す。
【０００６】
図６，７及び９に示すように、ＯＮＵのデータ信号の送信は、ＯＬＴのメッセージ送信部から送信されるｇａｔｅメッセージに基づいて実行される。
図６，７及び８に示すように、ＯＬＴは、メッセージ送信部からｇａｔｅメッセージを送信する。ｇａｔｅメッセージには、当該ｇａｔｅメッセージを受信するＯＮＵの識別子、送信開始時刻及び送信許可時間を示す情報が含まれている。
【０００７】
図６，７及び９に示すように、ｇａｔｅメッセージに記載された識別子が対応付けられたＯＮＵは、メッセージ処理部によって、ｇａｔｅメッセージに記載された送信開始時刻及び送信許可時間に基づいて処理を実行する。
ＯＮＵは、ｇａｔｅメッセージに記載された送信開始時刻になったとき、光信号の送信を開始する。なお、以下の説明においては、アイドル信号及びデータ信号を包括して「光信号」という。
ＯＮＵは、送信を開始してから送信許可時間が経過するまでの間、光信号の送信を行う。
以上の処理が繰り返されることによって、接続されているＯＮＵによる光信号の送信が行われる。
【先行技術文献】
【非特許文献】
【０００８】
【非特許文献１】"IEEE Standard for Ethernet SECTION FIVE", IEEE Std 802.3TM-2015", IEEE Computer Society, pp.310-343,675-709, 2015年
【非特許文献２】"IEEE Standard for Ethernet SECTION FOUR", IEEE Std 802.3TM-2015", IEEE Computer Society, pp.321-323, 2015年
【発明の概要】
【発明が解決しようとする課題】
【０００９】
ところで、従来技術において、物理層を光インターフェースで規定したＥｔｈｅｒｎｅｔ（登録商標）は、Ｐ２Ｐ（Point-to-Point）方式の長距離高速通信等に用いられる。アクセスネットワークにＰ２Ｐのネットワークトポロジを用いた場合、光ファイバの敷設コストの増加が懸念される。そのため、ＰＯＮトポロジを用いたＰ２ＭＰ（Point-to-MultiPoint）を行う方式が、ＰＯＮシステムとしてアクセスネットワークに用いられている。
【００１０】
ＰＯＮシステムでは、ＯＬＴ／ＯＮＵ間の上り通信のために、ＯＬＴからｇａｔｅメッセージが送信される。汎用装置であるイーサネット（登録商標）機器を用いてＰＯＮシステムを実現した場合、特に１０Ｇ  Ｅｔｈｅｒｎｅｔ（登録商標）機器を用いたＯＮＵでは、ＯＬＴがＯＮＵからの光信号を受信しない場合、及び、ＯＬＴが複数のＯＮＵからの光信号を受信する場合には、Ｌ２データ信号の送信ができなくなる。これは、１０Ｇ  Ｅｔｈｅｒｎｅｔ（登録商標）の必須規格であるリンク障害検知機能による制限によるものである。これにより、上り通信を行うことができなくなるという課題がある。
【００１１】
本発明は、このような事情を考慮してなされたものであり、複数ネットワーク機器をＰＯＮトポロジで接続した際に、標準的なＥｔｈｅｒｎｅｔ（登録商標）機器のみで上り通信を行うことができる技術を提供することを目的とする。
【課題を解決するための手段】
【００１２】
本発明の一態様は、第１の通信装置と複数の第２の通信装置とが時分割多元接続方式により通信を行う光アクセスシステムにおける前記第２の通信装置であって、イーサネット（登録商標）として通信を実現するイーサネットコントローラと、前記通信におけるリンク障害の発生を通知するリンク障害通知を前記第１の通信装置から受信した場合において、前記第１の通信装置へのデータ送信を行っている場合には、前記データ送信を終了させるための終了命令を出力し、前記第１の通信装置へのデータ送信を行っていない場合には、前記リンク障害から復帰した後に前記データ送信を開始させるための開始命令を出力するリンク障害処理部と、を備える通信装置である。
【００１３】
また、本発明の一態様は、上記の通信装置であって、前記リンク障害通知を受信しなくなったことに基づいて前記リンク障害から復帰したことを検知するリンク障害検知部をさらに備え、前記リンク障害処理部は、前記リンク障害検知部によって前記リンク障害から復帰したことが検知されたことに基づいて前記開始命令を出力する。
【００１４】
また、本発明の一態様は、上記の通信装置であって、前記リンク障害通知は、前記第１の通信装置が前記リンク障害の発生を検知したことに応じて前記第１の通信装置から複数の前記第２の通信装置へ送信される通知信号である。
【００１５】
また、本発明の一態様は、第１の通信装置と複数の第２の通信装置とが時分割多元接続方式により通信を行う光アクセスシステムにおける前記第２の通信装置のコンピュータによる通信方法であって、イーサネット（登録商標）として通信を実現するステップと、前記通信におけるリンク障害の発生を通知するリンク障害通知を前記第１の通信装置から受信した場合において、前記第１の通信装置へのデータ送信を行っている場合には、前記データ送信を終了させるための終了命令を出力し、前記第１の通信装置へのデータ送信を行っていない場合には、前記リンク障害から復帰した後に前記データ送信を開始させるための開始命令を出力するステップと、を有する通信方法である。
【発明の効果】
【００１６】
本発明によれば、複数ネットワーク機器をＰＯＮトポロジで接続した際に、標準的なＥｔｈｅｒｎｅｔ（登録商標）機器のみで上り通信を行うことができる。
【図面の簡単な説明】
【００１７】
【図１】本発明の一実施形態に係る通信システム１の機能構成を示すブロック図である。
【図２】本発明の一実施形態に係る通信システム１による、信号送信許可の制御処理の流れを示すシーケンス図である。
【図３】本発明の一実施形態に係る通信システム１のＯＬＴ２０の動作を示すフローチャートである。
【図４】本発明の一実施形態に係る通信システム１のＯＮＵ１０ｂの動作を示すフローチャートである。
【図５】一般的なＰＯＮシステムのネットワーク構成を示すブロック図である。
【図６】従来技術における通信システムの構成を示すブロック図である。
【図７】従来技術における通信システムによる上り通信の処理の流れを示すシーケンス図である。
【図８】従来技術における通信システムのＯＬＴの動作の一例を示すフローチャートである。
【図９】従来技術における通信システムのＯＮＵの動作の一例を示すフローチャートである。
【発明を実施するための形態】
【００１８】
＜実施形態＞
以下、本発明の一実施形態について説明する。
【００１９】
ＰＯＮシステムでは、ＯＬＴ／ＯＮＵ間の上り通信のために、ＯＬＴからｇａｔｅメッセージが送信される。汎用装置であるイーサネット（登録商標）機器を用いてＰＯＮシステムを実現した場合、特に１０Ｇ  Ｅｔｈｅｒｎｅｔ（登録商標）機器を用いたＯＮＵは、１０Ｇ  Ｅｔｈｅｒｎｅｔ（登録商標）の必須規格であるリンク障害検知機能による制限から、Ｌ２データ信号が送信不可になることがある。
【００２０】
以下に説明する実施形態においては、ＯＬＴが、リンク障害を検知する前に、必ず一方のＯＮＵにｇａｔｅメッセージを送信し、Ｌ２データ通信を行っていた他方のＯＮＵは光信号を消光する。これにより、複数のＯＮＵからそれぞれ送信される上り信号が衝突しなくなり、リンク障害が回復する。そのため、ｇａｔｅメッセージを受信した一方のＯＮＵのデータ信号の送信が可能になる。
以上の構成により、実施形態に係る通信システムによれば、複数ネットワーク機器をＰＯＮトポロジで接続した際に、標準的なＥｔｈｅｒｎｅｔ（登録商標）機器のみで上り通信が可能となる。
以下、実施形態に係る通信システム１について、図面を参照しながら更に詳しく説明する。
【００２１】
［通信システムの機能構成］
図１は、本発明の一実施形態に係る通信システム１の機能構成を示すブロック図である。図１に示すように、通信システム１は、ＯＮＵ１０と、ＯＬＴ２０と、を含んで構成される。通信システム１は、ＯＬＴ２０（第１の通信装置）と複数のＯＮＵ１０（第２の通信装置）とが時分割多元接続方式により通信を行う光アクセスシステムである。
【００２２】
ＯＮＵ１０は、演算処理部１１と、イーサネットコントローラ１３と、光信号送受信器１５と、を含んで構成される。
【００２３】
演算処理部１１は、例えば、ＣＰＵ（Central Processing Unit；中央演算処理装置）等のプロセッサを含んで構成される。図１に示すように、演算処理部１１は、メッセージ処理部１１１と、光信号制御命令部１１２と、リンク障害処理部１１３と、を含んで構成される。
なお、メッセージ処理部１１１、光信号制御命令部１１２及びリンク障害処理部１１３は、ＣＰＵ等のプロセッサによって実行されるソフトウェアプログラムである。
【００２４】
メッセージ処理部１１１は、光信号制御命令部１１２に対して制御開始命令及び制御終了命令を出力する。
また、メッセージ処理部１１１は、要求元から送信されて送信待ちとなっているデータ（以下「送信待ちデータ」という。）に対する送信処理を行う。なお、送信待ちデータは、演算処理部１１あるいはＯＮＵ１０の他の機能ブロックが備える一時記憶媒体（図示せず）に記憶されているものとする。メッセージ処理部１１１は、データ信号の送信を実行させるためのデータ信号送信命令及び送信処理されたデータを、イーサネットコントローラ１３のデータ信号送信部１３１を介して、光信号送受信器１５のデータ信号光送信部１５１へ向けて出力する。
【００２５】
光信号制御命令部１１２は、制御開始命令が入力されると、光信号の出力の制御を実行させるための光信号制御命令を、イーサネットコントローラ１３の光信号出力制御部１３２へ出力する。
リンク障害処理部１１３は、ＯＬＴ２０から送信されるリンク障害通知を受信した際に、直前の信号送信によるデータ送信をしている場合には、光信号制御命令部１１２に対して、光信号の出力を終了させるための命令（終了命令）を出力する。
また、リンク障害処理部１１３は、ＯＬＴ２０から送信されるリンク障害通知を受信した際に、直前の信号送信によるデータ送信をしていない場合には、リンク障害から復帰するのを待つ。そして、リンク障害処理部１１３は、リンク障害から復帰した後に、データ信号送信部１３１に対して、信号送信を開始させるための命令（開始命令）を出力する。
【００２６】
イーサネットコントローラ１３は、例えばネットワークインターフェース及びネットワーク機器に実装されている、ＭＡＣ（Media Access Control）層及びＰＨＹ層（物理層）のプロトコルでデータの通信を可能にする回路のうち、特にＥｔｈｅｒｎｅｔ（登録商標）として通信を実現する回路である。図１に示すように、イーサネットコントローラ１３は、データ信号送信部１３１と、光信号出力制御部１３２と、データ信号受信部１３３と、リンク障害検知部１３４と、を含んで構成される。
【００２７】
データ信号送信部１３１は、メッセージ処理部１１１から入力されたデータ信号に基づく電気信号を、データ信号光送信部１５１へ出力する。ここで、光信号出力制御部１３２は、データ信号送信部１３１からデータ信号光送信部１５１へ出力される電気信号に基づいて光信号制御部１５２を制御することにより、データ信号光送信部１５１から送信される光信号の出力制御を行う。
データ信号受信部１３３は、データ信号光受信部１５３が受信した光信号に基づく電気信号をリンク障害検知部１３４から取得し、取得した電気信号に基づくデータ信号をメッセージ処理部１１１へ出力する。
【００２８】
リンク障害検知部１３４は、データ信号光受信部１５３が受信した光信号に基づく電気信号を取得し、リンク障害通知の有無を検知する。リンク障害検知部１３４は、取得したリンク障害通知をリンク障害処理部１１３へ出力する。
また、リンク障害検知部１３４は、取得した電気信号に基づくデータ信号をデータ信号受信部１３３へ出力する。
【００２９】
光信号送受信器１５は、電気信号を光信号として出力可能な物理媒体依存部機能を有した機器である。具体的には、光信号送受信器１５は、例えば、ＳＦＰ（Small Form-factor Pluggable/Mini-GBIC）／ＳＦＰ＋等の光モジュール、あるいは、プリント基板上に実装された光モジュールである。図１に示すように、光信号送受信器１５は、データ信号光送信部１５１と、光信号制御部１５２と、データ信号光受信部１５３と、を含んで構成される。
【００３０】
データ信号光送信部１５１は、光信号制御部１５２による制御のもと、データ信号送信部１３１から入力された電気信号に基づく光信号を、ネットワークを介してＯＬＴ２０へ送信する。
光信号制御部１５２は、光信号出力制御部１３２による制御のもと、データ信号光送信部１５１へ入力された電気信号の０及び１の値を踏まえて、光パルスのＯＮ／ＯＦＦの切り替えを実行する。これにより、ＯＬＴ２０へ向けて光信号が送信される。上記の構成により、ＯＮＵ１０は、光回線終端装置を用いずに、データ信号を光バースト信号としてＯＬＴ２０へ送信することができる。
データ信号光受信部１５３は、ＯＬＴ２０から送信された光信号を受信する。データ信号光受信部１５３は、受信した光信号に基づく電気信号をリンク障害検知部１３４へ出力する。
【００３１】
ＯＬＴ２０は、演算処理部２１と、イーサネットコントローラ２３と、光信号送受信器２５と、を含んで構成される。
【００３２】
演算処理部２１は、例えば、ＣＰＵ等のプロセッサを含んで構成される。図１に示すように、演算処理部２１は、メッセージ送信部２１１を含んで構成される。
【００３３】
メッセージ送信部２１１は、要求元から送信されて送信待ちとなっている送信待ちデータに対する送信処理を行う。なお、送信待ちデータは、演算処理部２１あるいはＯＬＴ２０の他の機能ブロックが備える一時記憶媒体（図示せず）に記憶されているものとする。メッセージ送信部２１１は、データ信号の送信を実行させるためのデータ信号送信命令及び送信処理されたデータを、イーサネットコントローラ２３のデータ信号送信部２３１を介して、光信号送受信器２５のデータ信号光送信部２５１へ向けて出力する。
【００３４】
イーサネットコントローラ２３は、例えばネットワークインターフェース及びネットワーク機器に実装されている、ＭＡＣ層及びＰＨＹ層（物理層）のプロトコルでデータの通信を可能にする回路のうち、特にＥｔｈｅｒｎｅｔ（登録商標）として通信を実現する回路である。図１に示すように、イーサネットコントローラ２３は、データ信号送信部２３１と、リンク障害検知部２３２と、を含んで構成される。
【００３５】
データ信号送信部２３１は、メッセージ送信部２１１から入力されたデータ信号に基づく電気信号を、データ信号光送信部２５１へ出力する。
リンク障害検知部２３２は、データ信号光受信部２５２が受信した光信号に基づく電気信号を取得し、リンク障害の有無を検知する。
【００３６】
光信号送受信器２５は、電気信号を光信号として出力可能な物理媒体依存部機能を有した機器である。具体的には、光信号送受信器２５は、例えば、ＳＦＰ／ＳＦＰ＋等の光モジュール、あるいは、プリント基板上に実装された光モジュールである。図１に示すように、光信号送受信器２５は、データ信号光送信部２５１と、データ信号光受信部２５２と、を含んで構成される。
【００３７】
データ信号光送信部２５１は、データ信号送信部２３１から入力された電気信号に基づく光信号を、ネットワークを介してＯＮＵ１０へ送信する。
データ信号光受信部２５２は、ＯＬＴ１０から送信された光信号を受信する。データ信号光受信部２５２は、受信した光信号に基づく電気信号をリンク障害検知部２３２へ出力する。
【００３８】
以上の構成により、ＯＮＵ１０がＯＬＴ２０に対して信号送信を行うことを、ＯＬＴ２０がＯＮＵ１０に対して許可（以下「信号送信許可」という。）を行うための制御が実現される。
【００３９】
以下、図２〜４を参照しながら、ＯＬＴ２０がＯＮＵ１０に対して信号送信許可を行う際の制御処理のプロセスについて説明する。
【００４０】
図２は、本発明の一実施形態に係る通信システム１による、信号送信許可の制御処理の流れを示すシーケンス図である。
なお、以下の説明においては、一方のＯＮＵ１０（ＯＮＵ１０ａ）が光信号を送信している状態において、他方のＯＮＵ１０（ＯＮＵ１０ａとは異なるＯＮＵであるＯＮＵ１０ｂ）がＯＬＴ２０へ光信号を送信する際の、信号送信許可の制御処理のプロセスについて説明する。
【００４１】
ＯＬＴ２０は、ＯＮＵ１０ａに対して、ｇａｔｅメッセージを送信する（ステップＳ０１）。これにより、ＯＮＵ１０ａからＯＬＴ２０へ光信号（アイドル信号及びデータ信号）の送信が開始される（ステップＳ０２）。
ＯＬＴ２０は、ＯＮＵ１０ａから光信号を受信している状態であるときに、ＯＮＵ１０ｂに対して、ｇａｔｅメッセージを送信する（ステップＳ０３）。
ＯＮＵ１０ｂは、ＯＬＴ２０から送信されたｇａｔｅメッセージを受信する。ＯＮＵ１０ｂは、受信したｇａｔｅメッセージに含まれる情報に基づく送信開始時刻になったときに、ＯＬＴ２０への光信号の送信を開始する（ステップＳ０４）。
【００４２】
ＯＮＵ１０ａ及びＯＮＵ１０ｂによるＯＬＴ２０への信号送信により、ＯＬＴ２０は、２台のＯＮＵ（ＯＮＵ１０ａ及びＯＮＵ１０ｂ）から光信号を受信する。これにより、ＯＬＴ２０は、リンク障害を検知する（ステップＳ０５）。
リンク障害を検知したＯＬＴ２０は、リンク障害通知のブロードキャスト（同報送信）を開始する（ステップＳ０６）。
ＯＬＴ２０から送信されたリンク障害通知を受信したＯＮＵ１０ａ及びＯＮＵ１０ｂは、リンク障害処理部１１３により、以下の処理を実行する。
【００４３】
直前の信号送信でデータ送信を行っている状態であるＯＮＵ１０ａは、データ送信を終了する。すなわち、ＯＮＵ１０ａは、光信号を消光する（ステップＳ０７）。
直前の信号送信でデータ送信を行っていない状態であるＯＮＵ１０ｂは、リンク障害から復帰するのを待つ。
ＯＮＵ１０ａによる信号送信の終了（光信号の消光）によってリンク障害から復帰したＯＬＴ２０は、リンク障害通知のブロードキャストを終了する（ステップＳ０８）。
ＯＮＵ１０ｂは、リンク障害通知を受信しなくなったことによりリンク障害から復帰したことを認識すると、ＯＬＴ２０へのデータ信号の送信を開始する（ステップＳ０９）。
【００４４】
以上説明したシーケンスによる制御処理が行われることにより、ＯＬＴ２０がリンク障害を検知する前には必ずＯＬＴ２０からＯＮＵ１０へｇａｔｅメッセージが送信される。これにより、ＯＬＴ２０がＯＮＵ１０に対して、信号送信許可の制御を行うことが可能になる。
【００４５】
［ＯＬＴの動作］
以下、上記のシーケンスにおけるＯＬＴ２０の動作の一例について説明する。
図３は、本発明の一実施形態に係る通信システム１のＯＬＴ２０の動作を示すフローチャートである。
【００４６】
ＯＬＴ２０は、ｇａｔｅメッセージの送信待ちの状態になる（ＡＣＴ００１）。
ＯＬＴ２０は、ＯＮＵ１０ａに対して、ｇａｔｅメッセージを送信する（ＡＣＴ００２）。
ＯＬＴ２０は、ｇａｔｅメッセージの送信待ちの状態になる（ＡＣＴ００３）。
ＯＬＴ２０は、ＯＮＵ１０ａから信光号を受信している状態であるときに、ＯＮＵ１０ｂに対して、ｇａｔｅメッセージを送信する（ＡＣＴ００４）。
ＯＬＴ２０は，複数のＯＮＵ（ＯＮＵ１０ａ及びＯＮＵ１０ｂ）から同時に光信号を受信することによって生じるリンク障害を検知する（ＡＣＴ００５）。
【００４７】
ＯＬＴ２０は、リンク障害通知のブロードキャスト（同報送信）を開始する（ＡＣＴ００６）。
ＯＬＴ２０は、ＯＮＵ１０ａによる信号送信が終了したことに基づいて、リンク障害から復帰したことを検知する（ＡＣＴ００７）。
ＯＬＴ２０は、リンク障害通知のブロードキャスト（同報送信）を終了する（ＡＣＴ００８）。
以上で、図３に示したフローチャートの処理が終了する。
【００４８】
［ＯＮＵの動作］
以下、上記のシーケンスにおけるＯＮＵ１０の動作の一例について説明する。
図４は、本発明の一実施形態に係る通信システム１のＯＮＵ１０の動作を示すフローチャートである。
【００４９】
ＯＮＵ１０は、ＯＬＴ２０から送信されるｇａｔｅメッセージの受信待ちの状態になる（ＡＣＴ１０１）。
ＯＮＵ１０は、ＯＬＴ２０から送信されるｇａｔｅメッセージを受信する（ＡＣＴ１０２）。
ＯＮＵ１０は、受信したｇａｔｅメッセージに含まれる情報に基づく送信開始時刻まで信号送信の処理の実行を待つ（ＡＣＴ１０３）。
ＯＮＵ１０は、送信開始時刻になると、ＯＬＴ２０への信号送信の処理を開始する（ＡＣＴ１０４）。
【００５０】
ＯＮＵ１０は、ＯＬＴ２０によってブロードキャスト（同報送信）されたリンク障害通知を受信する（ＡＣＴ１０５）。
ＯＮＵ１０は、直前の信号送信でデータ信号をＯＬＴ２０へ送信していない場合（ＡＣＴ１０６・Ｎｏ）、リンク障害から復帰するのを待つ（ＡＣＴ１０８）。
【００５１】
ＯＮＵ１０は、ＯＬＴ２０によってブロードキャスト（同報送信）されるリンク障害通知を受信しなくなったことに基づいて、リンク障害から復帰したことを認識し（ＡＣＴ１０９）、ＯＬＴ２０への信号送信の処理を開始する（ＡＣＴ１０４）。
また、ＯＮＵ１０は、上記ＡＣＴ１０６において、直前の信号送信でデータ信号をＯＬＴ２０へ送信している場合（ＡＣＴ１０６・Ｙｅｓ）、信号送信を終了する（ＡＣＴ１０７）。
以上で、図４に示したフローチャートの処理が終了する。
【００５２】
以上説明したように、本発明の一実施形態に係る通信システム１は、ＯＬＴ２０（第１の通信装置）と複数のＯＮＵ１０（第２の通信装置）とが時分割多元接続方式により通信を行う光アクセスシステムである。ＯＮＵ１０は、イーサネット（登録商標）として通信を実現するイーサネットコントローラ１３を備える。また、ＯＮＵ１０は、当該通信におけるリンク障害の発生を通知するリンク障害通知をＯＬＴ２０から受信した場合において、ＯＬＴ２０へのデータ送信を行っている場合には、データ送信を終了させるための命令（終了命令）を出力し、ＯＬＴ２０へのデータ送信を行っていない場合には、リンク障害から復帰した後に、データ送信を開始させるための命令（開始命令）を出力するリンク障害処理部を備える。
【００５３】
また、ＯＮＵ１０は、リンク障害通知を受信しなくなったことに基づいてリンク障害から復帰したことを検知するリンク障害検知部１３４をさらに備える。リンク障害処理部１１３は、リンク障害検知部１３４によってリンク障害から復帰したことが検知されたことに基づいて、開始命令を出力する。
【００５４】
また、上記リンク障害は、複数のＯＮＵ１０からそれぞれ送信される光信号をＯＬＴ１０が同時に受信したことによって発生する通信障害である。また、リンク障害通知は、ＯＬＴ２０がリンク障害の発生を検知したことに応じて、ＯＬＴ２０から複数のＯＮＵ１０へ送信される通知信号である。
【００５５】
本発明の実施形態に係るＯＮＵ１０が上記の構成を備えることによって、複数ネットワーク機器（ＯＮＵ１０）をＰＯＮトポロジで接続した際に、標準的なＥｔｈｅｒｎｅｔ（登録商標）機器のみで上り通信を行うことができる。
【００５６】
以上、この発明の実施形態について図面を参照して詳述してきたが、具体的な構成はこの実施形態に限られるものではなく、この発明の要旨を逸脱しない範囲の設計等も含まれる。
【００５７】
なお、本発明の特徴を分かり易く説明するため、上記において、ＯＬＴ２０がＯＮＵから受信した光信号に基づくデータ信号の受信処理を行う構成（例えば、イーサネットコントローラ２３のデータ信号受信部、及び、演算処理部２１におけるメッセージ受信部）の記載を省略している。しかしながら、上述した実施形態に係る通信システム１は、複数のＯＮＵ１０とＯＬＴ２０とがＰＯＮトポロジで接続された一般的なネットワークシステムであり、ＯＮＵ１０側からＯＬＴ２０への通信も当然可能である。
【００５８】
なお、上述した実施形態におけるＯＮＵ１０及びＯＬＴ２０の一部または全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
なお、ここでいう「コンピュータシステム」とは、ＯＮＵ１０及びＯＬＴ２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５９】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００６０】
また、上述した実施形態におけるＯＮＵ１０及びＯＬＴ２０の一部または全部を、ＬＳＩ（Large Scale Integration）等の集積回路として実現してもよい。ＯＮＵ１０及びＯＬＴ２０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００６１】
１…通信システム、１０…ＯＮＵ（光加入者線終端装置）、１１…演算処理部、１３…イーサネットコントローラ、１５…光信号送受信器、２０…ＯＬＴ（光加入者線端局装置）、２１…演算処理部、２３…イーサネットコントローラ、２５…光信号送受信器、１１１…メッセージ処理部、１１２…光信号制御命令部、１１３…リンク障害処理部、１３１…データ信号送信部、１３２…光信号出力制御部、１３３…データ信号受信部、１３４…リンク障害検知部、１５１…データ信号光送信部、１５２…光信号制御部、１５３…データ信号光受信部、２１１…メッセージ送信部、２３１…データ信号送信部、２３２…リンク障害検知部、２５１…データ信号光送信部、２５２…データ信号光受信部
【図１】
2020010248.tif 000003
【図２】
2020010248.tif 000004
【図３】
2020010248.tif 000005
【図４】
2020010248.tif 000006
【図５】
2020010248.tif 000007
【図６】
2020010248.tif 000008
【図７】
2020010248.tif 000009
【図８】
2020010248.tif 000010
【図９】
2020010248.tif 000011